(57)【特許請求の範囲】
【請求項１】
取得した肌理データを処理する装置の作動方法であって、肌理領域において、
気と血液との情報取得ステップを開始して気と血液との状態の情報を取得すること、
肌の色合い情報取得ステップを開始して肌の色合い状態情報を取得すること、
肌理情報取得ステップを開始して肌理の弾性情報を取得すること、
皮膚水分情報取得ステップを開始して皮膚水分情報を取得すること、および、
肌の艶情報取得ステップを開始して光沢と艶との情報を取得すること、
と、
取得した、前記肌の色合い状態情報、前記肌理の弾性情報、前記皮膚水分情報、および、前記光沢と艶との情報、を、あらかじめ設定された指標範囲、と、比較するとともに、前記気と血液との状態の情報と組み合わせることで、前記肌理領域に関する全体的な肌理の状態を診断すること、と、
を含み、
前記気と血液との情報取得ステップは、
検出装置によって前記肌理領域の血液状態を取得すること、
前記血液状態に基づいて前記肌理領域に対応する画像を生成すること、
前記画像を分析して前記画像に対応する血流分布情報を得ること、および、
前記血流分布情報があらかじめ設定された血流情報範囲内に含まれるか否かを判断し、前記血流分布が前記あらかじめ設定された血流情報範囲内に含まれている場合に、前記肌理領域の前記気と血液との状態の情報が正常であると判断すること、
を含む、取得した肌理データを処理する装置の作動方法。
【請求項２】
前記の、検出装置によって肌理領域の血液状態を取得すること、および、血流状態に基づいて肌理領域に対応する画像を生成すること、は、具体的には、
熱赤外線撮像装置によって前記肌理領域における温度信号を取得すること、および、同時にドップラー撮像装置によって前記肌理領域における血液かん流信号状態を取得すること、と、
前記温度信号と前記血液かん流信号とを併用して、画像処理手段に従って前記肌理領域に対応する画像を生成すること、と、
を含む請求項１に記載の取得した肌理データを処理する装置の作動方法。
【請求項３】
前記画像を分析して前記画像に対応する血流分布情報を得ること、は、具体的には、前記画像を分析して前記画像に対応する血流分布情報を得ることであって、前記血流分布情報が前記肌理領域の温度値および血液かん流量を含むこと、を含む請求項２に記載の取得した肌理データを処理する装置の作動方法。
【請求項４】
前記肌の色合い情報取得ステップは、具体的には、狭帯域スペクトルにより前記肌理領域のヘムとメラニンとの含有量を測定することを含む請求項１に記載の取得した肌理データを処理する装置の作動方法。
【請求項５】
前記肌理の情報取得ステップは、具体的には、吸引と伸長との相互作用を用いて前記肌理領域の弾性値を測定することを含む請求項１に記載の取得した肌理データを処理する装置の作動方法。
【請求項６】
前記皮膚水分情報取得ステップは、具体的には、皮膚水分容量テストによって、前記肌理領域の水分含有量を測定すること、および、油分検出装置によって検出された油分含有量を得ること、を含む請求項１に記載の取得した肌理データを処理する装置の作動方法。
【請求項７】
前記肌の艶情報取得ステップは、具体的には、鏡面光沢テストによって前記肌理領域の光沢と艶とを測定することを含む請求項１に記載の取得した肌理データを処理する装置の作動方法。
【請求項８】
前記の、取得した肌の色合い状態情報、取得した肌理の弾性情報、取得した皮膚水分情報、ならびに、取得した光沢と艶との情報、を、あらかじめ設定された指標範囲、と、比較するとともに、前記気と血液との状態の情報と組み合わせることで、前記肌理領域に関する全体的な肌理の状態を判断することは、
具体的には、
前記取得した肌の色合い状態情報を、あらかじめ設定された肌の色合い値と比較すること、
前記取得した肌理の弾性情報を、あらかじめ設定された弾性値と比較すること、
前記取得した皮膚水分情報を、あらかじめ設定された水分情報と比較すること、
前記取得した光沢と艶との情報を、あらかじめ設定された艶情報と比較すること、および、
ヘム含有量が増加するとともにメラニン含有量が減少し、肌理値が低下し、皮膚の水分含有量が増加し、かつ、肌の輝度値が増加した場合に、肌理領域の全体的な肌理の気と血液との状態が良好であると判断すること、
を含む請求項１〜７のいずれか１項に記載の取得した肌理データを処理する装置の作動方法。
【請求項９】
前記肌理領域は顔面領域である請求項１〜７のいずれか１項に記載の取得した肌理データを処理する装置の作動方法。
【請求項１０】
前記血流分布情報は、顔面の局所毛細血管血流量および局部組織代謝機能を含む請求項１〜７のいずれか１項に記載の取得した肌理データを処理する装置の作動方法。
【請求項１１】
肌理領域において気と血液との情報取得ステップを実行して気と血液との状態の情報を取得するように構成された気・血液取得モジュールと、
前記肌理領域において肌の色合い情報取得ステップを開始して肌の色合い状態情報を取得するように構成された肌の色合い取得モジュールと、
前記肌理領域において肌理情報取得ステップを開始して肌理の弾性情報を取得するように構成された肌理取得モジュールと、
前記肌理領域において皮膚水分情報取得ステップを開始して皮膚水分情報を取得するように構成された水分取得モジュールと、
前記肌理領域において肌の艶情報取得ステップを開始して光沢と艶との情報を取得するように構成された艶取得モジュールと、
取得した、前記肌の色合い状態情報、前記肌理の弾性情報、前記皮膚水分情報、ならびに、前記光沢と艶との情報、を、あらかじめ設定された指標範囲、と、比較するとともに、前記気と血液との状態の情報と組み合わせることで、前記肌理領域に関する全体的な肌理の状態を診断するように構成された分析モジュールと、
を含み、
前記気・血液取得モジュールは、具体的には、
検出装置によって前記肌理領域の血液状態を取得するように構成された取得サブモジュールと、
前記血液状態に基づいて前記肌理領域に対応する画像を生成するように構成された生成サブモジュールと、
前記画像を分析して前記画像に対応する血流分布情報を得るように構成された分析サブモジュールと、
前記血流分布情報があらかじめ設定された血流情報範囲内に含まれるか否かを判断し、前記血流分布情報が前記あらかじめ設定された血流情報範囲内に含まれている場合に前記肌理領域の前記気と血液との状態の情報が正常であると判断するように構成された判断サブモジュールと、
を含む、取得した肌理データを処理する装置。
【請求項１２】
肌の色合い取得モジュールは、具体的には、狭帯域スペクトルを用いて肌理領域のヘムとメラニンとの含有量を測定するように構成され、
肌理取得モジュールは、具体的には、吸引と伸長との相互作用を用いて肌理領域の弾性値を測定するように構成され、
水分取得モジュールは、具体的には、皮膚水分容量テストによって肌理領域の水分含有量を測定するとともに、油分検出装置によって検出された油分含有量を得る、ように構成され、そして、
艶取得モジュールは、具体的には、鏡面光沢テストによって肌理領域の光沢と艶とを測定する、
ように構成されている請求項１１に記載の取得した肌理データを処理する装置。
【請求項１３】
前記分析モジュールは、具体的には、
前記取得した肌の色合い状態情報を、あらかじめ設定された肌の色合い値と比較し、
前記取得した肌理の弾性情報を、あらかじめ設定された弾性値と比較し、
前記取得した皮膚水分情報を、あらかじめ設定された水分情報と比較し、
前記取得した光沢と艶との情報を、あらかじめ設定された艶情報と比較し、さらに、
ヘム含有量が増加するとともにメラニン含有量が低下し、肌理値が低下し、皮膚の水分含有量が増加し、かつ、肌の輝度値が増加した、場合に、前記肌理領域の全体的な肌理の気と血液との状態が良好であると診断するように構成されている請求項１１に記載の取得した肌理データを処理する装置。
【請求項１４】
請求項１１〜１３のいずれか１項に記載の取得した肌理データを処理する装置と、
熱赤外線撮像装置、肌のヘムとメラニンとの測定装置、肌の弾性測定装置、皮膚水分測定装置、油分測定装置、および、多機能肌測定装置、と、
を含み、
前記熱赤外線撮像装置、前記肌のヘムとメラニンとの測定装置、前記肌の弾性測定装置、前記皮膚水分測定装置、前記油分測定装置、および、前記多機能肌測定装置、は、それぞれ、前記取得した肌理データを処理する装置に電気的に接続されているシステム。
【請求項１５】
前記熱赤外線撮像装置は、測定した気と血液との状態の情報を、テストプローブを介して、前記取得した肌理データを処理する装置に供給するように構成され、
前記肌のヘムとメラニンとの測定装置は、測定した肌の色合い状態情報を、テストプローブを介して、前記取得した肌理データを処理する装置へ供給するように構成され、
前記肌の弾性測定装置は、測定した肌理の弾性情報を、テストプローブを介して、前記取得した肌理データを処理する装置に供給するように構成され、
前記皮膚水分測定装置は、測定した皮膚水分情報を、テストプローブを介して、前記取得した肌理データを処理する装置に供給するように構成され、
前記油分測定装置は、測定した皮膚の油分含有量情報を、テストプローブを介して、前記取得した肌理データを処理する装置に供給するように構成され、そして、
前記多機能肌測定装置は、測定した光沢と艶との情報を、テストプローブを介して、前記取得した肌理データを処理する装置に供給するように構成されている請求項１４に記載の取得した肌理データを処理するシステム。
【発明の詳細な説明】
【技術分野】
【０００１】
この出願は、２０１４年１２月１５日に中国の特許庁に出願された“ＭＥＴＨＯＤ，ＡＰＰＡＲＡＴＵＳ  ＡＮＤ  ＳＹＳＴＥＭ  ＦＯＲ  ＰＲＯＣＥＳＳＩＮＧ  ＡＣＱＵＩＲＥＤ  ＳＫＩＮ  ＮＡＴＵＲＥ  ＤＡＴＡ”という名称の中国特許出願第２０１４１０７７６４７５．Ｘ号に基づく優先権を主張するものであり、その出願の内容は、参照によってその全体が本願明細書に組み込まれるものとする。
【背景技術】
【０００２】
本発明は、データ処理の分野に関し、特に、取得した肌理データを処理する方法、装置、および、システム、に関する。
【０００３】
黄帝内経における「女七男八」という生命リズムの相違は、肌の健康維持システムにおける指針となるイデオロギーとしての役割を果たしている。人々の異なる期間における生理学的特徴に基づいて、それらは、「三つの期間および六つの段階」健康維持法と呼ばれている、三つの期間と六つの段階、すなわち、成長期間と、安定期間と、老化期間と、からなる三つの期間と、幼年、少年、青年、成人、中年、および、終年（老年）、からなる六つの段階と、に分けられる。伝統中国医学の観点からは、人は、「望聞問切」によって診断される。検査は、伝統中国医学の皮膚の健康維持において最も重要である。検査の第一のステップは、肌の色を検査することであり、人の気（Ｑｉ）と血液変性を観察することにより、本質的には気と血液との状態を観察することによって、皮膚が診断され、および、人の健康も事前に診断される。しかし、科学およびテクノロジーの急速な発達に伴い、肌理の状態を得るための皮膚データが取得され、取得された皮膚データは統合される。そのため、古代中国医学における皮膚の健康維持技術は、科学的になるとともに、ディジタル化される傾向があり、その結果、人々は、その皮膚状態を直接的に取得することができる。
【０００４】
現在のディジタル化された皮膚の健康維持技術において、人の顔面についての赤外線システムは、マイクロプロセッサと、そのマイクロプロセッサの制御端と接続されているディスプレイと、を含み、赤外線熱イメージング高速温度テスタがマイクロプロセッサの入力端に接続され、その結果、顔面の温度は、赤外線熱イメージング高速温度検査技術によって迅速に検査され、また、その温度に関して得られた情報は、定性的かつ定量的な分析および処理を実行するためにマイクロプロセッサに送られて、マイクロプロセッサに内蔵されている健康標準温度値と、または、不健康なときの温度値に対応する疾病データと、比較および照合される。
【０００５】
しかし、赤外線熱イメージング高速温度検査技術によって、人の顔面の温度が迅速に検査される上述の解決策においては、肌理の状態を診断するために取得されるのは皮膚の温度のみであり、皮膚の「気と血液」に関する最も重要な情報データを直接的に取得することができない。それにより、皮膚の性状の状態に関する誤診という技術的な問題が生じる。
【発明の概要】
【発明が解決しようとする課題】
【０００６】
本発明の実施形態により、取得した肌理データを処理する方法、装置、および、システムが提供される。それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。
【課題を解決するための手段】
【０００７】
本発明の実施形態により、取得した肌理データを処理する方法が提供され、その方法は、
肌理領域において、
気と血液との情報取得ステップを開始して気と血液との状態の情報を取得すること、
肌の色合い情報取得ステップを開始して肌の色合い状態情報を取得すること、
肌理情報取得ステップを開始して肌理の弾性情報を取得すること、
皮膚水分情報取得ステップを開始して皮膚水分情報を取得すること、および、
肌の艶情報取得ステップを開始して光沢と艶との情報を取得すること、
と、
取得した、肌の色合い状態情報、肌理の弾性情報、皮膚水分情報、および、光沢と艶との情報、を、あらかじめ設定された指標範囲、と、比較するとともに、気と血液との状態の情報と組み合わせることで、肌理領域に関する全体的な肌理の状態を診断すること、と、
を含み、
気と血液との情報取得ステップは、
検出装置によって肌理領域の血液状態を取得すること、
その血液状態に基づいて肌理領域に対応する画像を生成すること、
その画像を分析してその画像に対応する血流分布情報を得ること、および、
血流分布情報があらかじめ設定された血流情報範囲内に含まれるか否かを判断し、血流分布があらかじめ設定された血流情報範囲内に含まれている場合に、肌理領域の気と血液との状態の情報が正常であると判断すること、
を含む。
【０００８】
好ましくは、前記の、検出装置によって肌理領域の血液状態を取得すること、および、血流状態に基づいて肌理領域に対応する画像を生成すること、は、具体的には、
熱赤外線撮像装置によって肌理領域における温度信号を取得すること、および、同時にドップラー撮像装置によって肌理領域における血液かん流信号状態を取得すること、と、
温度信号と血液かん流信号とを併用して、画像処理手段に従って肌理領域に対応する画像を生成すること、と、
を含む。
【０００９】
好ましくは、前記の、画像を分析してその画像に対応する血流分布情報を得ること、は、具体的には、画像を分析してその画像に対応する血流分布情報を得ることであって、その血流分布情報が肌理領域の温度値および血液かん流量を含むこと、を含む。
【００１０】
好ましくは、肌の色合い情報取得ステップは、具体的には、狭帯域スペクトルにより肌理領域のヘムとメラニンとの含有量を測定することを含む。
【００１１】
好ましくは、肌理の情報取得ステップは、具体的には、吸引と伸長との相互作用を用いて肌理領域の弾性値を測定することを含む。
【００１２】
好ましくは、皮膚水分情報取得ステップは、具体的には、皮膚水分容量テストによって、肌理領域の水分含有量を測定すること、および、油分検出装置によって検出された油分含有量を得ること、を含む。
【００１３】
好ましくは、肌の艶情報取得ステップは、具体的には、鏡面光沢テストによって肌理領域の光沢と艶とを測定することを含む。
【００１４】
好ましくは、前記の、取得した肌の色合い状態情報、取得した肌理の弾性情報、取得した皮膚水分情報、ならびに、取得した光沢と艶との情報、を、あらかじめ設定された指標範囲、と、比較するとともに、気と血液との状態の情報と組み合わせることで、肌理領域に関する全体的な肌理の状態を判断することは、具体的には、
取得した肌の色合い状態情報、取得した肌理の弾性情報、取得した皮膚水分情報、ならびに、取得した光沢と艶との情報、を、あらかじめ設定された指標範囲、と、一つずつ比較するとともに、気と血液との状態の情報と組み合わせることで、肌理領域に関する全体的な肌理の状態を判断すること、
を含み、また、
あらかじめ設定された指標範囲、は、肌の色合い指標と、肌理の弾性指標と、皮膚水分指標と、光沢・艶指標と、からなる。
【００１５】
好ましくは、肌理領域は、顔面領域である。
【００１６】
好ましくは、血流分布情報は、顔面の局所毛細血管血流量および局部組織代謝機能を含む。
【００１７】
本発明の実施形態により、取得した肌理データを処理する装置が提供され、その装置は、
肌理領域において気と血液との情報取得ステップを実行して気と血液との状態の情報を取得するように構成された気・血液取得モジュールと、
肌理領域において肌の色合い情報取得ステップを開始して肌の色合い状態情報を取得するように構成された肌の色合い取得モジュールと、
肌理領域において肌理情報取得ステップを開始して肌理の弾性情報を取得するように構成された肌理取得モジュールと、
肌理領域において皮膚水分情報取得ステップを開始して皮膚水分情報を取得するように構成された水分取得モジュールと、
肌理領域において肌の艶情報取得ステップを開始して光沢と艶との情報を取得するように構成された艶取得モジュールと、
取得した、肌の色合い状態情報、肌理の弾性情報、皮膚水分情報、ならびに、光沢と艶との情報、を、あらかじめ設定された指標範囲、と、比較するとともに、気と血液との状態の情報と組み合わせることで、肌理領域に関する全体的な肌理の状態を診断するように構成された分析モジュールと、
を含み、
気・血液取得モジュールは、具体的には、
検出装置によって肌理領域の血液状態を取得するように構成された取得サブモジュールと、
血液状態に基づいて肌理領域に対応する画像を生成するように構成された生成サブモジュールと、
その画像を分析してその画像に対応する血流分布情報を得るように構成された分析サブモジュールと、
血流分布情報があらかじめ設定された血流情報範囲内に含まれるか否かを判断し、その血流分布情報があらかじめ設定された血流情報範囲内に含まれている場合に肌理領域の気と血液との状態の情報が正常であると判断するように構成された判断サブモジュールと、
を含む。
【００１８】
好ましくは、
肌の色合い取得モジュールは、具体的には、狭帯域スペクトルを用いて肌理領域のヘムとメラニンとの含有量を測定するように構成され、
肌理取得モジュールは、具体的には、吸引と伸長との相互作用を用いて肌理領域の弾性値を測定するように構成され、
水分取得モジュールは、具体的には、皮膚水分容量テストによって肌理領域の水分含有量を測定するとともに、油分検出装置によって検出された油分含有量を得る、ように構成され、そして、
艶取得モジュールは、具体的には、鏡面光沢テストによって肌理領域の光沢と艶とを測定する、
ように構成されている。
【００１９】
好ましくは、分析モジュールは、具体的には、
取得した肌の色合い状態情報を、あらかじめ設定された肌の色合い値と比較し、
取得した肌理の弾性情報を、あらかじめ設定された弾性値と比較し、
取得した皮膚水分情報を、あらかじめ設定された水分情報と比較し、
取得した光沢と艶との情報を、あらかじめ設定された艶情報と比較し、さらに、
ヘム含有量が増加するとともにメラニン含有量が低下し、肌理値が低下し、皮膚の水分含有量が増加し、かつ、肌の輝度値が増加した、場合に、肌理領域の全体的な肌理の気と血液との状態が良好であると診断するように構成されている。
【００２０】
本発明の実施形態により、取得した肌理データを処理するシステムが提供され、そのシステムは、
本発明の一つ実施形態による、取得した肌理データを処理する装置と、
熱赤外線撮像装置、肌のヘムとメラニンとの測定装置、肌の弾性測定装置、皮膚水分測定装置、油分測定装置、および、多機能肌測定装置、と、
を含み、
熱赤外線撮像装置、肌のヘムとメラニンとの測定装置、肌の弾性測定装置、皮膚水分測定装置、油分測定装置、および、多機能肌測定装置、は、それぞれ、取得した肌理データを処理する装置に電気的に接続されている。
【００２１】
好ましくは、
熱赤外線撮像装置は、測定した気と血液との状態の情報を、テストプローブを介して、取得した肌理データを処理する装置に供給するように構成され、
肌のヘムとメラニンとの測定装置は、測定した肌の色合い状態情報を、テストプローブを介して、取得した肌理データを処理する装置へ供給するように構成され、
肌の弾性測定装置は、測定した肌理の弾性情報を、テストプローブを介して、取得した肌理データを処理する装置に供給するように構成され、
皮膚水分測定装置は、測定した皮膚水分情報を、テストプローブを介して、取得した肌理データを処理する装置に供給するように構成され、
油分測定装置は、測定した皮膚の油分含有量情報を、テストプローブを介して、取得した肌理データを処理する装置に供給するように構成され、そして、
多機能肌測定装置は、測定した光沢と艶との情報を、テストプローブを介して、取得した肌理データを処理する装置に供給するように構成されている。
【００２２】
上述した技術的解決策から、本発明の実施形態が以下のような利点を有していることがわかる。
【００２３】
本発明の実施形態により、取得した肌理データを処理する方法、装置、および、システム、が提供される。この場合、その方法は、
肌理領域において、
気と血液との情報取得ステップを開始して気と血液との状態の情報を取得すること、
肌の色合い情報取得ステップを開始して肌の色合い状態情報を取得すること、
肌理情報取得ステップを開始して肌理の弾性情報を取得すること、
皮膚水分情報取得ステップを開始して皮膚水分情報を取得すること、および、
肌の艶情報取得ステップを開始して光沢と艶との情報を取得すること、
と、
取得した、肌の色合い状態情報、肌理の弾性情報、皮膚水分情報、ならびに、光沢と艶との情報、を、あらかじめ設定された指標範囲、と、比較するとともに、気と血液との状態の情報と組み合わせることで、肌理領域に関する全体的な肌理の状態を診断すること、
と、を含む。
この場合、気と血液との情報取得ステップは、
検出装置によって肌理領域の血液状態を取得すること、
その血液状態に基づいて肌理領域に対応する画像を生成すること、
その画像を分析してその画像に対応する血流分布情報を得ること、および、
血流分布情報があらかじめ設定された血流情報範囲内に含まれるか否かを判断し、血流分布があらかじめ設定された血流情報範囲内に含まれている場合に、肌理領域の気と血液との状態の情報が正常であると判断すること、
を含む。
実施形態において、肌理の血液状態は、気と血液との情報取得ステップの場合は検出装置によって取得され、また、血液情報が分析されて、血液情報に対応する血流分布情報が得られ、血流分布情報があらかじめ設定された血流情報範囲内に含まれるか否かが判断されて、血流状態が診断される。それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。
【図面の簡単な説明】
【００２４】
本発明の実施形態または従来技術における技術的解決策をより明確に説明するために、以下において、実施形態または従来技術の説明に必要な図面を簡単に説明する。以下の説明における図面は、明らかに本発明のいくつかの実施形態にすぎない。当業者の場合、創造的作業を何ら要することなく、これらの図面に従って、他の図面も得ることができる。
【００２５】
【図１】本発明の実施形態によって提供される、取得した肌理データを処理する方法の概略フロー図。
【図２】本発明の別の実施形態によって提供される、取得した肌理データを処理する方法の概略フロー図。
【図３】本発明の別の実施形態によって提供される、取得した肌理データを処理する方法の概略フロー図。
【図４】本発明の実施形態によって提供される、取得した肌理データを処理する装置の概略構造図。
【図５】本発明の実施形態によって提供される、取得した肌理データを処理するシステムの概略構造図。
【発明を実施するための形態】
【００２６】
本発明の実施形態により、取得した肌理データを処理する方法、装置、および、システムが提供され、それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。
【００２７】
本発明の目的、特徴、および、利点を明確にし、加えて理解を容易にするために、本発明の実施形態による技術的解決策は、本発明の実施形態の図面とともに明確かつ十分に記載されている。以下に記載されている実施形態は、明らかに、実施形態のすべてではなく、一部にすぎない。本発明の実施形態に基づいて、創造的作業を要することなく当業者によって得られる他のすべての実施形態は、本発明の保護範囲に含まれる。
【００２８】
図１を参照すると、本発明の実施形態によって提供される、取得した肌理データを処理する方法は、ステップ１０１を含み、
肌理領域において、
気と血液との情報取得ステップ１０１ａを開始して気と血液との状態の情報が取得され、
肌の色合い情報取得ステップ１０１ｂを開始して肌の色合い状態情報が取得され、
肌理情報取得ステップ１０１ｃを開始して肌理の弾性情報が取得され、
皮膚水分情報取得ステップ１０１ｄを開始して皮膚水分情報が取得され、そして、
肌の艶情報取得ステップ１０１ｅを開始して光沢と艶との情報が取得される。
【００２９】
実施形態において、特定の領域内の局所的な肌理領域の肌理状態が判断される場合、取得した肌理データが処理される。
まず、肌理領域において、
気と血液との情報取得ステップ１０１ａを開始して気と血液との状態の情報が取得され、
肌の色合い情報取得ステップ１０１ｂを開始して肌の色合い状態情報が取得され、
肌理情報取得ステップ１０１ｃを開始して肌理の弾性情報が取得され、
皮膚水分情報取得ステップ１０１ｄを開始して皮膚水分情報が取得され、そして、
肌の艶情報取得ステップ１０１ｅを開始して光沢と艶との情報が取得される。
【００３０】
気と血液との状態の情報は、分離した試料観察と、生体観察と、の二種類を含む、気および血液の微小循環の観察であってもよい。分離した試料の観察方法は、主に、微小血管かん流、鋳型、組織切片染色、などを含む。微小血管内皮細胞およびその超微細構造は、組織切片によって正確に観察することができるが、微小血管の立体的な配置および形状構成を見ることはできない。かん流および鋳型の後に得られた試料は、微小血管壁の三次元形状構成を示すことができるとともに、微小血管の長さ、幅、ならびに、面積、を測定することができる。分離した試料観察の欠点は、死んでいる、または、術後の摘出臓器の、微小血管のみが観察に用いられる可能性があるため、体の状態が反映されない可能性がある、ということである。生体観察において、微小血管の血流速度は、さまざまな顕微鏡で直接的に観察される。現在、その観察方法および技術には、いくつかの欠点があり、いくつかの観察方法は、依然として侵襲的であり、例えば、皮下血管網を露出させるために、観察ウィンドウが動物の皮膚に設けられる。
【００３１】
上述した肌の色合い状態情報は、主に、人肌の四つの色素、すなわち、黒褐色のメラニン、赤色の酸化ヘモグロビン、青色の還元ヘモグロビン、および、黄色のカロテン、を含んでもよい。皮膚生物学的見地からは、人肌の色は色素系の影響を受け、メラニンはメラノサイトの生成物であり、それらの色素の含有量および分散状態は皮膚の色を決める主な要因である。皮膚の血液内に含まれるヘモグロビン（ヘマクローム）の影響により、肌の色はピンクである。酸化ヘモグロビンは明るい赤色であり、低酸素状態においては（還元ヘモグロビンは）暗赤色になり、皮膚の色はそれに応じて変化する。
【００３２】
上述した肌理の弾性情報は、性状、すなわち、肌理であってもよく、皮膚の粗さ、滑らかさ、および、柔らかさ、などの質感の程度によって示すことができる。皮膚の表面質感は、皮膚の老化に関する重要な特性である。肌理のテストは、皮膚の弾性指標をテストすることである。市場に流通している肌理のテスタに用いられる方法は、吸引法、トーション法、および、弾性せん断波の伝達速度を測定する方法、を含む。人の肌の老化は、自然老化と光老化とを含むことに留意すべきである。自然老化は、内因性の遺伝要因によって引き起こされる皮膚組織構造および生理機能の変化と見なせる。内因性老化は、表皮萎縮、真皮萎縮、および、表皮と真皮の間の境界の平坦化、などを含み、それらは人の自然老化の発現として不可抗力であるが、遅らせることができる。光老化は、日光によって引き起こされ、皮膚角化症、シミ、しわ、および、弾性組織変性、の原因となる。異常な皮膚角化症は、皮膚を乾燥させて粗くする表皮肥厚および緻密化を含む可能性がある。
【００３３】
上述した皮膚水分情報は、皮膚の湿潤度および油分含有量を含んでもよく、また、皮膚表皮の水分含有量および油分含有量の違いとして示される。水分は、皮膚外皮の表皮内の重要な形成物質の一つであり、また、外皮の表皮は、皮膚が老化した場合、薄くなる。
【００３４】
表皮中の自然な保湿成分の含有物が減少し、皮膚の抱水性が低下し、皮膚の水分損失が増加し、組織構造ならびに形態が細胞の収縮と組織の萎縮とに伴って変化し、その結果、小さなしわが皮膚内に徐々に生じて、皮膚の表面積がしわのさらなる増加と深化とに伴って増加し、外皮が薄くなり、水分損失がより深刻になり、皮膚の老化が悪化する。皮膚の水分をテストすることにより、皮膚外皮の表皮中の水分含有量を直接的に測定できるだけではなく、皮膚の老化の程度も間接的に反映される可能性がある。皮脂腺が油分を分泌したときに生じる脱落が毛穴を塞ぐことで、ニキビが生じる。対照的に、皮脂分泌が減少し、生じたハイドロ脂質エマルジョンが減少すると、皮膚が乾燥し、粗くなり、くすみ、他の症状が生じる。
【００３５】
上述した光沢と艶との情報は、皮膚の輝度変化を含んでもよい。
【００３６】
上述した肌の色合い情報取得ステップを開始するプロセス、肌理情報取得ステップを開始するプロセス、皮膚水分情報取得ステップを開始するプロセス、および、肌の艶情報取得を開始するプロセスが、以下の実施形態において詳細に記載されており、それらは、ここではこれ以上繰り返し説明されていないことを説明しなくてはならない。
【００３７】
図１に図示されているように、気と血液との情報取得ステップ１０１ａは、以下のステップを含む。
【００３８】
ステップＳ１において、肌理領域の血液状態が検出装置によって取得される。
【００３９】
実施形態において、気と血液との情報取得ステップ１０１ａを開始することによって、気と血液との情報が取得され、まず、肌理領域の血液状態が検出装置によって取得される。検出装置によって肌理領域の血液状態を取得する方法は、後の実施形態に詳細に記載されており、ここでは詳細をこれ以上記載していないことに留意されたい。
【００４０】
ステップＳ２において、肌理領域に対応する画像が血液状態に基づいて生成される。
【００４１】
肌理領域の血液状態が検出装置によって取得された後、その肌理領域に対応する熱画像がその血液状態に基づいて生成され、上述した画像は、これらに限定されるものではないが、マイクロＭＲＩ、マイクロＣＴ、マイクロＰＥＴ（ポジトロン断層法）、近赤外線（紫外線）蛍光イメージング、多光子イメージング、超音波分子イメージング、拡散光トモグラフィー、光ボンディングイメージング、蛍光サブサーフェスイメージング、生物発光イメージング、および、サーマルイメージング、などのさまざまな技術を含むことを理解すべきである。
【００４２】
ステップＳ３において、画像を分析してその画像に対応する血流分布情報が得られる。
【００４３】
肌理領域に対応する画像が血液状態に基づいて生成された後、その画像が分析されてその画像に対応する血流分布情報を得る。
【００４４】
ステップＳ４では、血流分布情報があらかじめ設定された血流情報範囲内に含まれるか否かが判断される。ステップＳ５は、血流分布情報があらかじめ設定された血流情報範囲内に含まれる場合に実行され、ステップＳ６は、血流分布情報があらかじめ設定された血流情報範囲内に含まれない場合に実行される。
【００４５】
画像が分析されてその画像に対応する血流分布情報が得られた後に、その血流分布情報があらかじめ設定された血流情報範囲内に含まれるか否かが判断される。ステップＳ５は、血流分布情報があらかじめ設定された血流情報範囲内に含まれる場合に実行され、ステップＳ６は、血流分布情報があらかじめ設定された血流情報範囲内に含まれない場合に実行される。
【００４６】
ステップＳ５において、肌理領域の気と血液との状態の情報が正常であると判断される。
【００４７】
血流分布情報があらかじめ設定された血流情報範囲内に含まれる場合には、肌理領域の気と血液との状態の情報が正常であると判断され、ステップＳ６に進む。
【００４８】
ステップＳ６では、血流分布情報を判断することに関する判断結果が格納される。
【００４９】
ステップＳ４において、血流分布情報があらかじめ設定された血流情報範囲内に含まれないと判断されたか、または、肌理領域の気と血液との状態の情報が正常であると判断された場合に、血流分布情報を判断することに関する判断結果が格納される。
【００５０】
ステップ１０２において、取得した、肌の色合い状態情報、肌理の弾性情報、皮膚水分情報、および、光沢と艶との情報、を、あらかじめ設定された指標範囲、と比較するとともに、気と血液との状態の情報と組み合わせることで、肌理領域に関する全体的な肌理の状態が診断される。
【００５１】
肌理領域において、
気と血液との情報取得ステップ１０１ａのステップＳ１〜Ｓ６を開始すると気と血液との状態の情報が取得され、
肌の色合い情報取得ステップ１０１ｂを開始すると肌の色合い状態情報が取得され、
肌理情報取得ステップ１０１ｃを開始すると肌理の弾性情報が取得され、
皮膚水分情報取得ステップ１０１ｄを開始すると皮膚水分情報が取得され、そして、
肌の艶情報取得ステップ１０１ｅを開始すると光沢と艶との情報が取得される。
その後、取得した、肌の色合い状態情報、肌理の弾性情報、皮膚水分情報、および、光沢と艶との情報、を、あらかじめ設定された指標範囲、と、比較するとともに、気と血液との状態の情報と組み合わせることで、肌理領域に関する全体的な肌理の状態が判断される。
【００５２】
上述した、あらかじめ設定された指標範囲、が、長期間にわたる実験により本発明に関する専門家によって取得された標準データ指標を含むことを説明しなければならない。
【００５３】
実施形態において説明した肌理領域は、顔面領域であってもよく、また、上述した血流分布情報は、顔面の局所毛細血管血流量および局部組織代謝機能も含んでもよい。
【００５４】
実施形態において、気と血液との情報取得ステップの場合に、肌理の血流状態が検出装置によって取得され、画像が分析されてその画像に対応する血流分布情報が得られ、血流状態を判断するために血流分布情報があらかじめ設定された血流情報範囲内に含まれるか否かが判断される。それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。
【００５５】
取得した肌理データを処理する方法のフローは、上記で詳細に説明され、肌の色合い情報取得ステップを開始するプロセス、肌理情報取得ステップを開始するプロセス、皮膚水分情報取得ステップを開始するプロセス、および、肌の艶情報取得ステップを開始するプロセス、は、下記で詳細に説明されている。図２を参照すると、本発明の別の実施形態による取得した肌理データを処理する方法は、ステップ２０１〜２０２を含む。
【００５６】
ステップ２０１で、肌理領域において、
気と血液との情報取得ステップ２０１ａを開始すると気と血液との状態の情報が取得され、
肌の色合い情報取得ステップ２０１ｂを開始すると肌の色合い状態情報が取得され、
肌理情報取得ステップ２０１ｃを開始すると肌理の弾性情報が取得され、
皮膚水分情報取得ステップ２０１ｄを開始すると皮膚水分情報が取得され、そして、
肌の艶情報取得ステップ２０１ｅを開始すると光沢と艶との情報が取得される。
【００５７】
実施形態において、特定の領域内の局所的な肌理領域の肌理状態が判断される場合、取得した肌理データが処理される。まず、肌理領域において、
気と血液との情報取得ステップ２０１ａを開始すると気と血液との状態の情報が取得され、
肌の色合い情報取得ステップ２０１ｂを開始すると肌の色合い状態情報が取得され、
肌理情報取得ステップ２０１ｃを開始すると肌理の弾性情報が取得され、
皮膚水分情報取得ステップ２０１ｄを開始すると皮膚水分情報が取得され、そして、
肌の艶情報取得ステップ２０１ｅを開始すると光沢と艶との情報が取得される。
【００５８】
気と血液との状態の情報は、分離した試料観察と、生体観察と、の二種類を含む、気と血液との微小循環の観察であってもよい。分離した試料の観察方法は、主に、微小血管かん流、鋳型、組織切片染色、などを含む。微小血管内皮細胞およびその超微細構造は、組織切片によって正確に観察することができるが、微小血管の立体的な配置および形状構成を見ることはできない。かん流および鋳型の後に得られた試料は、微小血管壁の三次元形状構成を示すことができるとともに、微小血管の長さ、幅、ならびに、面積、を測定することができる。分離した試料観察の欠点は、死んでいる、または、術後の摘出臓器の、微小血管のみが観察に用いられる可能性があるため、体の状態が反映されない可能性がある、ということである。生体観察において、微小血管の血流速度は、さまざまな顕微鏡で直接的に観察される。現在、その観察方法および技術には、いくつかの欠点があり、いくつかの観察方法は、依然として侵襲的であり、例えば、皮下血管網を露出させるために、観察ウィンドウが動物の皮膚に設けられる。
【００５９】
上述した肌の色合い状態情報は、主に、人肌の四つの色素、すなわち、黒褐色のメラニン、赤色の酸化ヘモグロビン、青色の還元ヘモグロビン、および、黄色のカロテン、を含んでもよい。皮膚生物学的見地からは、人肌の色は色素系の影響を受け、メラニンはメラノサイトの生成物であり、それらの色素の含有量および分散状態は皮膚の色を決める主な要因である。皮膚の血液内に含まれるヘモグロビン（ヘマクローム）の影響により、肌の色はピンクである。酸化ヘモグロビンは明るい赤色であり、低酸素状態においては（還元ヘモグロビンは）暗赤色になり、皮膚の色はそれに応じて変化する。
【００６０】
上述した肌理の弾性情報は、性状、すなわち、肌理であってもよく、皮膚の粗さ、滑らかさ、および、柔らかさ、などの質感の程度によって示すことができる。皮膚の表面質感は、皮膚の老化に関する重要な特性である。肌理のテストは、皮膚の弾性指標をテストすることである。市場に流通している肌理のテスタに用いられる方法は、吸引法、トーション法、および、弾性せん断波の伝達速度を測定する方法、を含む。人の肌の老化は、自然老化と光老化とを含むことに留意すべきである。自然老化は、内因性の遺伝要因によって引き起こされる皮膚組織構造および生理機能の変化と見なせる。内因性老化は、表皮萎縮、真皮萎縮、および、表皮と真皮の間の境界の平坦化、などを含み、それらは人の自然老化の発現として不可抗力であるが、遅らせることができる。光老化は、日光によって引き起こされ、皮膚角化症、シミ、しわ、および、弾性組織変性、の原因となる。異常な皮膚角化症は、皮膚を乾燥させて粗くする表皮肥厚および緻密化を含む可能性がある。
【００６１】
上述した皮膚水分情報は、皮膚の湿潤度および油分含有量を含んでもよく、また、皮膚表皮の水分含有量および油分含有量の違いとして示される。水分は、皮膚外皮の表皮内の重要な形成物質の一つであり、また、外皮の表皮は、皮膚が老化した場合、薄くなる。
【００６２】
表皮中の自然な保湿成分の含有物が減少し、皮膚の抱水性が低下し、皮膚の水分損失が増加し、組織構造ならびに形態が細胞の収縮と組織の萎縮とに伴って変化し、その結果、小さなしわが皮膚内に徐々に生じて、皮膚の表面積がしわのさらなる増加と深化とに伴って増加し、外皮が薄くなり、水分損失がより深刻になり、皮膚の老化が悪化する。皮膚の水分をテストすることにより、皮膚外皮の表皮中の水分含有量を直接的に測定できるだけではなく、皮膚の老化の程度も間接的に反映される可能性がある。皮脂腺が油分を分泌したときに生じる脱落が毛穴を塞ぐことで、ニキビが生じる。対照的に、皮脂分泌が減少し、生じたハイドロ脂質エマルジョンが減少し、それによって皮膚が乾燥し、粗くなり、くすみ、他の症状が生じる。
【００６３】
上述した光沢と艶との情報は、皮膚の輝度変化を含んでもよい。
【００６４】
上述した肌の色合い状態情報、肌理の弾性情報、皮膚水分情報、および、肌の光沢と艶との情報、は、以下の実施形態において詳細に記載されており、それらは、ここではこれ以上詳細に記載されていない。
【００６５】
図２に図示されているように、上述した気と血液との情報取得ステップ２０１ａは、以下のステップを含む。
【００６６】
ステップＳ１において、肌理領域の血液状態が検出装置によって取得される。
【００６７】
実施形態において、気と血液との情報取得ステップ１０１ａを開始することによって、気と血液との情報が取得され、まず、肌理領域の血液状態が検出装置によって取得される。検出装置によって肌理領域の血液状態を取得する方法は、後の実施形態に詳細に記載されており、ここでは詳細をこれ以上記載していないことに留意されたい。
【００６８】
ステップＳ２において、肌理領域に対応する画像が血液状態に基づいて生成される。
【００６９】
肌理領域の血液状態が検出装置によって取得された後、その肌理領域に対応する熱画像がその血液状態に基づいて生成され、上述した画像は、これらに限定されるものではないが、マイクロＭＲＩ、マイクロＣＴ、マイクロＰＥＴ（ポジトロン断層法）、近赤外線（紫外線）蛍光イメージング、多光子イメージング、超音波分子イメージング、拡散光トモグラフィー、光ボンディングイメージング、蛍光サブサーフェスイメージング、生物発光イメージング、および、サーマルイメージング、などのさまざまな技術を含むことを理解すべきである。
【００７０】
ステップＳ３において、画像を分析してその画像に対応する血流分布情報が得られる。
【００７１】
肌理領域に対応する画像が血液状態に基づいて生成された後、その画像が分析されてその画像に対応する血流分布情報を得る。
【００７２】
ステップＳ４では、血流分布情報があらかじめ設定された血流情報範囲内に含まれるか否かが判断される。ステップＳ５は、血流分布情報があらかじめ設定された血流情報範囲内に含まれる場合に実行され、ステップＳ６は、血流分布情報があらかじめ設定された血流情報範囲内に含まれない場合に実行される。
【００７３】
画像が分析されてその画像に対応する血流分布情報が得られた後に、その血流分布情報があらかじめ設定された血流情報範囲内に含まれるか否かが判断される。ステップＳ５は、血流分布情報があらかじめ設定された血流情報範囲内に含まれる場合に実行され、ステップＳ６は、血流分布情報があらかじめ設定された血流情報範囲内に含まれない場合に実行される。
【００７４】
ステップＳ５において、肌理領域の気と血液との状態の情報が正常であると判断される。
【００７５】
血流分布情報があらかじめ設定された血流情報範囲内に含まれる場合には、肌理領域の気と血液との状態の情報が正常であると判断され、ステップＳ６に進む。
【００７６】
ステップＳ６では、血流分布情報を判断することに関する判断結果が格納される。
【００７７】
ステップＳ４において、血流分布情報があらかじめ設定された血流情報範囲内に含まれないと判断されたか、または、肌理領域の気と血液との状態の情報が正常であると判断された場合に、血流分布情報を判断することに関する判断結果が格納される。
【００７８】
図２に示すように、上述した肌の色合い情報取得ステップ２０１ｂは、狭帯域スペクトルを用いて肌理領域のヘムとメラニンとの含有量を測定することを含む。
【００７９】
肌の色合い状態情報を取得すべき場合、肌理領域のヘムとメラニンとの含有量は、狭帯域スペクトルを用いて測定され、例えば、肌のヘムとメラニンとのテスタおよびテストプローブ（Ｍｅｘａｍｅｔｅｒ  ＭＸ１８）は、スペクトル吸収の原理（ＲＧＢ）に基づいて人肌上の特定の波長における光の反射量をテストすることにより、皮膚内のヘムとメラニンとの含有量を測定する。計器プローブのエミッタは、５６８ｎｍ、６６０ｎｍ、８８０ｎｍ、の波長で光を放射して皮膚の表面を照らし、レシーバは、皮膚によって反射された光を測定する。放射される光の量は一定であるため、皮膚によって吸収された光の量を測定することにより、ヘムとメラニンとの含有量をテストすることができる。計器のテスト範囲は０〜９９９であり、テスト値が大きければ大きいほど、皮膚内のヘムとメラニンとの含有量が多いことを意味する。
【００８０】
図２に示すように、上述した肌理情報取得ステップ２０１ｃは、吸引と伸長との相互作用を用いて肌理領域の弾性値を測定することを含む。
【００８１】
肌理の弾性情報を取得すべき場合、肌理領域の弾性値は吸引と伸長との相互作用を用いて測定される。肌の弾性値テスタおよびテストプローブは、吸引と伸長とに基づく測定原理を有し、テストすべき皮膚の表面に負圧を加えて皮膚をテストプローブ内に吸引し、テストプローブ内に吸引される皮膚の深さを、非接触光テストシステムによって測定する。テストプローブは、発光部および受光部を含み、放射した光と受光した光との比は、テストプローブ内に吸引された皮膚の深さに直接的に比例し、このようにして、皮膚の伸長した長さと時間の関連曲線が得られ、皮膚の弾性能力をその曲線によって判断することができる。
【００８２】
図２示すように、上述した皮膚水分情報取得ステップ２０１ｄは、皮膚水分容量テストによって肌理領域の水分含有量を測定すること、および、油分検出装置によって検出された肌理領域の油分含有量を得ること、を含む。
【００８３】
皮膚水分情報を取得すべき場合、肌理領域の水分含有量は皮膚水分容量テストによって測定され、加えて、油分検出装置によって検出された肌理領域の油分含有量が取得される。皮膚水分含有量テスタおよびテストプローブ（Ｃｏｒｎｅｏｍｅｔｅｒ  ＣＭ８２５）により、世界的に有名なコルネオメーター容量法が用いられる。コルネオメーター容量法の原理は、水分および他の物質によって比誘電率が相当に変化し、正確な形状においてテストキャパシタによって検出された皮膚の静電容量は水分含有量に伴って変化し、皮膚の静電容量は測定範囲内に含まれ、このようにして、皮膚の水分含有量を測定することができるということである。皮膚の水分含有量の結果は、所定の水分測定値（Ｍｏｉｓｔｕｒｅ  Ｍｅａｓｕｒｅｍｅｎｔ  Ｖａｌｕｅ：ＭＭＶ）として表される。ＭＭＶの値は、０〜１５０の範囲である。ＭＭＶの値が大きければ大きいほど、皮膚の外皮の水分含有量は多くなる。皮膚の水分損失ＴＥＷＬは、皮膚水分保護層の機能を評価するための重要なパラメータであり、国際的に幅広く受け入れられている。皮膚水分保護層が完全であればあるほど水分含有量は多くなり、かつ、皮膚水分損失ＴＥＷＬの値は低くなる。換言すると、隣接する皮膚の表面に対する水分蒸気圧の変化は、拡散原理に従って、皮膚水分損失テスタおよびテストプローブ（Ｔｅｗａｍａｔｅｒ  ＴＭ３００）によって測定される。表皮を介して蒸発した水分の量を直接的に測定して、それによって、皮膚の表面における水分損失を評価するために、二つの開端部を有する円筒形キャビティからなる専用のテストプローブによって、皮膚の表面に比較的安定した測定微小環境が形成され、温度センサおよび水分センサからなる二つのセンサセットが、表皮内の水分損失によって生じた近接する（約１ｃｍ）外皮内の異なる二つの箇所の間の水蒸気圧勾配を測定する。ＴＥＷＬの値が低ければ低いほど、外皮を介した水分損失の量は小さくなり、水分損失の量の単位は、ｇ／ｈｍ２である。さらに、皮膚の油脂分泌の原理によれば、皮脂腺が油分を分泌したときに生じる脱落が毛穴を塞ぐことになり、そのため、ニキビが生じる。対照的に、皮脂分泌が減少し、生じたハイドロ脂質エマルジョンが減少すると、皮膚が乾燥し、粗くなり、くすみ、他の症状が生じる。上述した油分測定装置は、それに限定されるものではないが、皮膚油分テスタＳＭ８１５であってもよい。
【００８４】
図２に示すように、上述した肌の艶情報取得ステップ２０１ｅは、鏡面光沢テストによって肌理領域の光沢と艶とを測定することを含む。
【００８５】
光沢と艶との情報を取得しなければならない場合、肌理領域の光沢と艶とは、鏡面光沢テストによって測定される。現在用いられている多機能皮膚テスタおよび皮膚彩度テストプローブ（ドイツ製のＭＰＡ９）によって肌の色を特定する測定方法は、国際照明委員会（Ｉｎｔｅｒｎａｔｉｏｎａｌ  Ｃｏｍｍｉｓｓｉｏｎ  ｏｎ  Ｉｌｌｕｍｉｎａｔｉｏｎ：ＣＩＥ）によって規定されている色空間（Ｌａｂ色空間）によって、皮膚の色の変化を測定することであり、Ｌ値（皮膚の輝度値）、ＧＬＯＯＳＹ値（艶）多機能皮膚テスタ、皮膚彩度テストプローブＭＰＡ９、および、ＧＬＯＯＳＹプローブは、皮膚の色を正確に特定することができ、皮膚の艶の変化を反映することができ、皮膚の艶をより高い信頼度で特定できるようにする。その艶が数字で示される対象物の表面は鏡に近い。艶は、多くの方法（または、計器）によって評価することができ、主に、光源の照明および見る角度に依存する。Ｉｎｇｅｒｓｏｌｌグロスメータでテストした対比光沢は、白紙または白紙系の艶をテストするのに用いられ、光沢と艶とは、鏡面光沢テスト法によって測定され、対象物の色は、光源のスペクトル成分、および、対象物の表面に反射されたさまざまな帯域における光による人間の眼への刺激、に依存し、その刺激は大脳皮質に伝達されて特定の感覚、すなわち色を形成する。光が皮膚に照射されると、皮膚中の異なる色素による異なる波長の光の吸収が異なり、その結果、反射光のスペクトル差が生じる。白色光が皮膚と相互に作用して、反射および吸収の両方によって着色光に変換されると、その皮膚は異なる色を呈する。皮膚の色に関する異なる光源の影響は、異なるスペクトルにより異なり、人の視覚は、同じ皮膚領域を照らす光によって影響を受け、そのため、観察者は、皮膚の色に対して異なる感覚を持つ可能性がある。光が皮膚の表面を照らした後、色素によって吸収された後、あるいは、表皮によって反射された後、光の約４〜８％は表皮によって反射される。テスト指標Ｌ、ａ、ｂ、は、三次元直交座標系の座標値であり、Ｌは輝度を表し、輝度が大きければ大きいほど、色の違いが大きくなる。さらに、皮膚の表面の光沢は、皮膚の表面を照らす光の直接反射および拡散反射によって反射される。皮膚は、構造および輝度だけが異なるのではなく、色も異なるため、別の装置ＧＬ２００を、皮膚の表面の艶を特別に測定するのに用いてもよく、その結果、異なる皮膚の艶を、皮膚の表面の反射光および散乱光を測定することによって、正確かつ都合良く測定することができる。プローブの先端においてＬＥＤから発せられた白色光の平行ビームは、平坦なミラーを通過して、皮膚の表面を６０°の角度で照らし、光の一部は同じ６０°の角度で直接反射されて、別の平坦なミラーを通過し、受光センサに入射する。別の部分の光は、皮膚の表面によって散乱された後、皮膚の垂直方向に配設されたセンサに入射する。このようにして、皮膚光沢テストプローブＧＬ２００は、艶に関して、皮膚による直接反射光を測定するだけではなく、皮膚による散乱光も測定することができ、その光は、艶が強い場合には白色になり、艶が弱い場合には黒色になる傾向がある。
【００８６】
ステップ２０２においては、取得した、肌の色合い状態情報、肌理の弾性情報、皮膚水分情報、および、光沢と艶との情報、を、あらかじめ設定された指標範囲、と、比較するとともに、気と血液との状態の情報と組み合わせることで、肌理領域に関する全体的な肌理の状態が診断される。
【００８７】
肌理領域において気と血液との情報取得ステップ２０１ａのステップＳ１〜Ｓ６を開始することによって、気と血液との状態の情報が取得され、
肌理領域において肌の色合い情報取得ステップ２０１ｂを開始することによって、肌の色合い状態情報が取得され、
肌理領域において肌理情報取得ステップ２０１ｃを開始することによって、肌理の弾性情報が取得され、
肌理領域において皮膚水分情報取得ステップ２０１ｄを開始することによって、皮膚水分情報が取得され、そして、
肌理領域において肌の艶情報取得ステップ２０１ｅを開始することによって、光沢と艶との情報が取得される。
その後、取得した、肌の色合い状態情報、肌理の弾性情報、皮膚水分情報、および、光沢と艶との情報、を、あらかじめ設定された指標範囲、と、比較するとともに、気と血液との状態の情報と組み合わせることで、肌理領域に関する全体的な肌理の状態が診断される。
【００８８】
上述したあらかじめ設定された指標範囲、が、長期間にわたる実験により当業者によって取得された標準データ指標を含むことを説明しなければならない。
【００８９】
実施形態において説明した肌理領域は、顔面領域でもよく、また、上述した血流分布情報は、顔面の局所毛細血管血流量および局部組織代謝機能も含んでもよい。
【００９０】
実施形態において、
気と血液との情報取得ステップにおいて肌理領域の血流状態が検出装置によって取得され、
血流状態が分析されてその血流状態に対応する血流分布情報が得られ、そして、
血流状態を判断するために血流分布情報があらかじめ設定された血流情報範囲内に含まれるか否かが判断され、
それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。
また、気および血液と、肌の色合いと、肌理と、皮膚水分と、肌の光沢および艶と、を含む全体的な肌理データ情報が、肌の色合い情報取得ステップ、肌理の情報取得ステップ、皮膚水分情報取得ステップ、および、肌の艶情報取得ステップ、を開始することによって取得されるため、取得した肌理を処理する判断プロセスが、より客観的かつ包括的になる。
【００９１】
肌の色合い情報取得ステップを開始するプロセス、肌理情報取得ステップを開始するプロセス、皮膚水分情報取得ステップを開始するプロセス、および、肌の艶情報取得ステップを開始するプロセス、は、詳細に上述されている。図３を参照すると、本発明の別の実施形態による、取得した肌理データを処理する方法は、以下のステップを含む。
【００９２】
ステップ３０１で、
肌理領域において気と血液との情報取得ステップ３０１ａを開始することで気と血液との状態の情報が取得され、
肌理領域において肌の色合い情報取得ステップ３０１ｂを開始することで肌の色合い状態情報が取得され、
肌理領域において肌理情報取得ステップ３０１ｃを開始することで肌理の弾性情報が取得され、
肌理領域において皮膚水分情報取得ステップ３０１ｄを開始することで皮膚水分情報が取得され、そして、
肌理領域において肌の艶情報取得ステップ３０１ｅを開始することで光沢と艶との情報が取得される。
【００９３】
実施形態において、特定の領域内の局所的な肌理領域の肌理状態が判断される場合、取得した肌理データが処理される。まず、
肌理領域において気と血液との情報取得ステップ３０１ａを開始することで気と血液との状態の情報が取得され、
肌理領域において肌の色合い情報取得ステップ３０１ｂを開始することで肌の色合い状態情報が取得され、
肌理領域において肌理情報取得ステップ３０１ｃを開始することで肌理の弾性情報が取得され、
肌理領域において皮膚水分情報取得ステップ３０１ｄを開始することで皮膚水分情報が取得され、そして、
肌理領域において肌の艶情報取得ステップ３０１ｅを開始することで光沢と艶との情報が取得される。
【００９４】
気と血液との状態の情報は、分離した試料観察と、生体観察と、の二種類を含む、気と血液との微小循環の観察であってもよい。分離した試料の観察方法は、主に、微小血管かん流、鋳型、組織切片染色、などを含む。微小血管内皮細胞およびその超微細構造は、組織切片によって正確に観察することができるが、微小血管の立体的な配置および形状構成を見ることはできない。かん流および鋳型の後に得られた試料は、微小血管壁の三次元形状構成を示すことができるとともに、微小血管の長さ、幅、ならびに、面積、を測定することができる。分離した試料観察の欠点は、死んでいる、または、術後の摘出臓器の、微小血管のみが観察に用いられる可能性があるため、体の状態が反映されない可能性がある、ということである。生体観察において、微小血管の血流速度は、さまざまな顕微鏡で直接的に観察される。現在、その観察方法および技術には、いくつかの欠点があり、いくつかの観察方法は、依然として侵襲的であり、例えば、皮下血管網を露出させるために、観察ウィンドウが動物の皮膚に設けられる。
【００９５】
上述した肌の色合い状態情報は、主に、人肌の四つの色素、すなわち、黒褐色のメラニン、赤色の酸化ヘモグロビン、青色の還元ヘモグロビン、および、黄色のカロテン、を含んでもよい。皮膚生物学的見地からは、人肌の色は色素系の影響を受け、メラニンはメラノサイトの生成物であり、それらの色素の含有量および分散状態は皮膚の色を決める主な要因である。皮膚の血液内に含まれるヘモグロビン（ヘマクローム）の影響により、肌の色はピンクである。酸化ヘモグロビンは明るい赤色であり、低酸素状態においては（還元ヘモグロビンは）暗赤色になり、皮膚の色はそれに応じて変化する。
【００９６】
上述した肌理の弾性情報は、性状、すなわち、肌理であってもよく、皮膚の粗さ、滑らかさ、および、柔らかさ、などの質感の程度によって示すことができる。皮膚の表面質感は、皮膚の老化に関する重要な特性である。肌理のテストは、皮膚の弾性指標をテストすることである。市場に流通している肌理のテスタに用いられる方法は、吸引法、トーション法、および、弾性せん断波の伝達速度を測定する方法、を含む。人の肌の老化は、自然老化と光老化とを含むことに留意すべきである。自然老化は、内因性の遺伝要因によって引き起こされる皮膚組織構造および生理機能の変化と見なせる。内因性老化は、表皮萎縮、真皮萎縮、および、表皮と真皮の間の境界の平坦化、などを含み、それらは人の自然老化の発現として不可抗力であるが、遅らせることができる。光老化は、日光によって引き起こされ、皮膚角化症、シミ、しわ、および、弾性組織変性、の原因となる。異常な皮膚角化症は、皮膚を乾燥させて粗くする表皮肥厚および緻密化を含む可能性がある。
【００９７】
上述した皮膚水分情報は、皮膚の湿潤度および油分含有量を含んでもよく、また、皮膚表皮の水分含有量および油分含有量の違いとして示される。水分は、皮膚外皮の表皮内の重要な形成物質の一つであり、また、外皮の表皮は、皮膚が老化した場合、薄くなる。
【００９８】
表皮中の自然な保湿成分の含有物が減少し、皮膚の抱水性が低下し、皮膚の水分損失が増加し、組織構造ならびに形態が細胞の収縮と組織の萎縮とに伴って変化し、その結果、小さなしわが皮膚内に徐々に生じて、皮膚の表面積がしわのさらなる増加と深化とに伴って増加し、外皮が薄くなり、水分損失がより深刻になり、皮膚の老化が悪化する。皮膚の水分をテストすることにより、皮膚外皮の表皮中の水分含有量を直接的に測定できるだけではなく、皮膚の老化の程度も間接的に反映される可能性がある。皮脂腺が油分を分泌したときに生じる脱落が毛穴を塞ぐことで、ニキビが生じる。対照的に、皮脂分泌が減少し、生じたハイドロ脂質エマルジョンが減少すると、皮膚が乾燥し、粗くなり、くすみ、他の症状が生じる。
【００９９】
上述した光沢と艶との情報は、皮膚の輝度変化を含んでもよい。
【０１００】
肌の色合い状態情報、肌理の弾性情報、皮膚水分情報、および、光沢と艶との情報、が、以下の実施形態において詳細に記載されており、それらは、ここではこれ以上詳細に説明されていない。
【０１０１】
図３に示すように、上述した気と血液との情報取得ステップ３０１ａは、以下のステップを含む。
【０１０２】
ステップＡ１において、熱赤外線撮像装置によって肌理領域における温度信号が取得されるとともに、ドップラー撮像装置によって肌理領域における血液かん流信号状態が取得される。
【０１０３】
実施形態において、気と血液との情報取得ステップ３０１ａを開始することによって気と血液との状態の情報が取得される場合、まず、熱赤外線撮像装置によって肌理領域における温度信号が取得され、加えて同時に、ドップラー撮像装置によって肌理領域における血液かん流信号状態が取得される。赤外線検出器は、体の表面の熱放射を検出して、放射信号を人の眼によって観察できる赤外線画像に変換することを説明しなければならない。その技術は、人の体に対して非接触の測定手段であること、人の体に対してダメージまたは副作用がないこと、迅速な検出プロセスおよび高精度の測定であること、および、０．０１〜０．０３℃の温度解像度を有すること、という利点がある。例えば、凍傷にかかった皮膚の領域は、赤外線撮像装置によって容易に検出される。凍傷領域では壊死が生じ、加えて、血液が凍傷領域には供給されないため、凍傷領域の温度は周りの皮膚の温度よりも低い。そのため、赤外線イメージングは、皮膚の気および血液の微小循環の場合の指標である。赤外線イメージングは温度を取得するのに用いられ、温度は温度調節中枢によって実現されることを理解することができる。温度調節中枢は、皮膚および他の領域から求心性インパルスを受けて、発熱プロセスおよび放熱プロセスを調節し、体温を通常のレベルに維持する。発熱プロセスは、骨格筋の緊張および寒気を増すことによって調節される。放熱プロセスは、例えば、ＶＡＲＩＯＳＣＡＮ３０２１−ＳＴ赤外線撮像装置によって、皮膚の血流量を変えることによって調節される。
【０１０４】
肌理領域における温度信号が熱赤外線撮像装置によって取得され、肌理領域における血液かん流信号状態がドップラー撮像装置によって取得されるが、ドップラー撮像装置の動作原理は、カラー超音波ドップラーの原理と同様であり、超音波のみがドップラー撮像装置内でレーザに変化されることを説明しなければならない。単色のレーザビームが血流内の動いている血液細胞と相互に作用する場合、組織内の動いている血液細胞によって反射された光は、ドップラー効果の原理に従って周波数シフトを生じ、周波数シフトの量は移動速度に直接的に比例し、散乱光の強度は動いている赤血球の数に直接的に比例する。レーザ走査ヘッドにおける検出器は、それらの小さな変化を検出して、その変化を処理した後、処理された変化に対する分析処理を、コンピュータのさまざまな画像解析ソフトウェアによって実行し、血流状態に関するデータ、および、血流と時間との関係に関する曲線、を出力することができ、そのため、将来のニーズに従って、テストおよび研究を実行することができる。上述したレーザは、組織を通過した後に散乱され、レーザの一部は吸収されることを理解することができる。散乱したレーザの一部は、組織の表面に戻り、および、その装置内の検出器によって検出され、レーザ信号は組織の微小循環血流に変換される。レーザの場合のドップラーの原理に従って、レーザが動いている対象物に照射されると、レーザの波長／周波数が変わり、すなわちドップラー周波数シフトが生じるが、レーザが照射されても静的構造は変わらない。強度、および、レーザドップラー周波数シフトの周波数分布、は、組織内の血液細胞の移動速度に直接的に比例し、移動方向には無関係であり、血流かん流値をこの原理に従って計算することができる。
【０１０５】
さらに、組織は、着色コーディング微小循環血流かん流画像を生成するために、ＰｅｒｉＳｃａｎ  ＰＩＭ３血流かん流撮像装置を使用することにより、レーザドップラー技術に基づく低エネルギレーザビームによって走査される。プローブを有するドットモードレーザドップラー血流撮像装置と比較して、このシステムは、血流の動的変化を観察することができないが、血流量かん流データを広範囲でモニタすることができ、各血流かん流画像は、２５５×２５５の監視箇所を含む。また、その監視プロセスは非接触式であり、監視対象物と接触する必要はない。
【０１０６】
上述した熱赤外線撮像技術の原理は、人の体温発生および放熱のメカニズムを含むことを説明しなければならない。人の体温は、温度調節中枢によって調節される。温度調節中枢は、皮膚および他の領域から求心性インパルスを受けて、発熱プロセスおよび放熱プロセスを調節し、体温を通常のレベルに維持する。発熱プロセスは、骨格筋の緊張および寒気を増すことによって調節される。放熱プロセスは、皮膚の血流量を変えることによって調節される。皮下脂肪組織は熱伝導係数が非常に小さいため、体にとっての断熱系として機能することができる。体の深部での熱は、血流によってのみ皮膚の表面に伝導させることができる。体表面の皮膚の温度は、局部血流量および局所組織代謝機能に依存する。皮膚の血液循環は、次のような特徴を有し、すなわち、皮膚に分布している動脈は断熱系（脂肪）を通って皮膚の乳頭下層の下に動脈網を形成し、皮下毛細血管は異常に湾曲し、豊富な静脈叢がさらに形成され、大量の皮下動静脈吻合枝が存在する。さらに、体の深部において、動脈と静脈の間で熱交換を行う対向流機構があり、すなわち、静脈は、ネットワークフォーマット内の動脈を包囲し、このようにして、高い血液温度を有する動脈血は、低い血液温度を有する静脈血と熱交換し、その結果、動脈血の温度は下がり、静脈血の温度は上がり、それによって熱損失が低減される。局所血流量を決める多くの要因において、小動脈の収縮状態または緩和状態は決定的な役割を果たし、また、小動脈の収縮状態または緩和状態は自律神経系の調節によって制御される。そのため、局所血流量および組織代謝に加えて、体表面の皮膚の温度も、自律神経系の機能状態を反映する。上述した局所血流量、組織代謝、および、自律神経系の機能状態、という三つの要因のすべてが異常である場合、体表面の温度、すなわち、皮膚の温度によって、その異常な状態が示される。そのため、赤外線撮像は、人の気と血液との状態を示し、顔面の気と血液との状態、および、体全体の気と血液との状態を、顔面の赤外線撮像によって示すことができる。
【０１０７】
ステップＡ２において、肌理領域における温度信号が熱赤外線撮像装置によって取得されるとともに、肌理領域における血液かん流信号状態がドップラー撮像装置によって取得される。
【０１０８】
肌理領域における温度信号が熱赤外線撮像装置によって取得され、肌理領域における血液かん流信号状態がドップラー撮像装置によって取得される場合、肌理領域における温度信号は熱赤外線撮像装置によって取得され、肌理領域における血液かん流信号状態はドップラー撮像装置によって取得される。
【０１０９】
ステップＡ３において、肌理領域の画像は、温度信号および血液かん流信号とともに画像処理手段に従って生成される。
【０１１０】
肌理領域における温度信号が熱赤外線撮像装置によって取得され、肌理領域における血液かん流信号状態がドップラー撮像装置によって取得された後、その肌理領域の画像が、温度信号および血液かん流信号とともに画像処理手段に従って生成される。当業者は、上述した画像を、周知の画像処理技術に基づいて、温度信号に対応する肌理領域の画像と、血液かん流信号に対応する肌理領域の画像を重ね合わせることによって得ることができることを理解することができる。
【０１１１】
ステップＡ４において、その画像が分析されて、その画像に対応する血流分布情報が得られ、血流分布情報は肌理領域の温度値と血液かん流量を含む。
【０１１２】
肌理領域に対応する画像が血流状態に基づいて生成された後、その画像が分析されて、その画像に対応する血流分布情報が得られる。血流分布情報は、肌理領域の温度値および血液かん流量を含む。
【０１１３】
顔の温度値が以下のように表１に示されている。
【表１】
0006431211.tif 000002
【０１１４】
この場合、顔の画像は、熱赤外線撮像装置によって取得された肌理領域における体温信号に基づいて生成され、また、顔面撮像サブ領域を取得するために、顔の画像に対して画像処理が実行され、顔面撮像サブ領域に対応する温度値は表１に示されている。例えば、顔面サブ領域の三つのセットＭ、Ｎ、Ｐの温度値の場合、複数の体温信号があらかじめ取得され、サブ領域に対応する温度値およびサブ領域の体温信号を計算するために、ステップＡ２で生成された画像に対して画像解析および処理が実行される。
【０１１５】
顔の血流かん流量は、以下のように表２に示されている。
【表２】
0006431211.tif 000003
【０１１６】
この場合、顔の画像は、ドップラー撮像装置によって取得された肌理領域における血液かん流信号に基づいて生成され、顔面撮像サブ領域を取得するために、顔の画像に対して画像処理が実行され、顔面撮像サブ領域に対応する血液かん流量は表２に示されている。例えば、顔面サブ領域の三つのセットＭ、Ｎ、Ｐの血流かん流量の場合、複数の血液かん流信号があらかじめ取得され、サブ領域に対応する血液かん流量およびサブ領域の血液かん流信号を計算するために、ステップＡ２で生成された画像に対して画像解析および処理が実行される。上述した血液かん流量の平均値は、限定するものではないが、サブ領域の面積を保存した後、保存した面積を加重および平均化することによって取得することができる。
【０１１７】
ステップＡ５において、血流分布情報があらかじめ設定された血流情報範囲内に含まれるか否かが判断され、ステップＡ６は、血流分布情報があらかじめ設定された血流情報範囲内に含まれる場合に実行され、ステップＡ７は、血流分布情報があらかじめ設定された血流情報範囲内に含まれない場合に実行される。
【０１１８】
画像が分析されてその画像に対応する血流分布情報が得られた場合、血流分布情報があらかじめ設定された血流情報範囲内に含まれるか否かが判断され、ステップＡ６は、血流分布情報があらかじめ設定された血流情報範囲内に含まれる場合に実行され、ステップＡ７は、血流分布情報があらかじめ設定された血流情報範囲内に含まれない場合に実行される。
【０１１９】
ステップＡ６では、肌理領域の気と血液との状態の情報が正常であると判断される。
【０１２０】
血流分布情報があらかじめ設定された血流情報範囲内に含まれる場合、肌理領域の気と血液との状態が正常であると判断されて、ステップＡ７に進む。
【０１２１】
ステップＡ７では、血流分布情報を判断することに関する判断結果が格納される。
【０１２２】
ステップＡ４において、血流分布情報があらかじめ設定された血流情報範囲内に含まれないと判断され、かつ、肌理の気と血液との状態の情報が正常であると判断された場合、血流分布情報を判断することに関する判断結果が格納される。
【０１２３】
図３に示すように、上述した肌の色合い情報取得ステップ３０１ｂは、狭帯域スペクトルを用いて肌理領域のヘムとメラニンとの含有量を測定することを含む。
【０１２４】
肌の色合い状態情報を取得すべき場合、肌理領域のヘムとメラニンとの含有量は、狭帯域スペクトルを用いて測定され、例えば、肌のヘムとメラニンとのテスタおよびテストプローブ（Ｍｅｘａｍｅｔｅｒ  ＭＸ１８）は、スペクトル吸収の原理（ＲＧＢ）に基づいて人肌上の特定の波長における光の反射量をテストすることにより、皮膚内のヘムとメラニンとの含有量を測定する。計器プローブのエミッタは、５６８ｎｍ、６６０ｎｍ、８８０ｎｍ、の波長で光を放射して皮膚の表面を照らし、レシーバは、皮膚によって反射された光を測定する。放射される光の量は一定であるため、皮膚によって吸収された光の量を測定することにより、ヘムとメラニンとの含有量をテストすることができる。計器のテスト範囲は０〜９９９であり、テスト値が大きければ大きいほど、皮膚内のヘムとメラニンとの含有量が多いことを意味する。
【０１２５】
上述した肌の色合いは、気と血液とに密接に関連していることを説明しなければならない。当業者に周知の技術的原理によれば、気と血液とがスムーズに流れている場合、肌の色は血色が良くて美しく、赤みが増す。一方、気と血液とがスムーズに流れていない場合は、肌の色は、気の沈滞と血行停止とにより暗く、皮膚の無表情さが増す。
【０１２６】
図３に示すように、上述した肌理情報取得ステップ３０１ｃは、吸引と伸長との相互作用を用いて肌理領域の弾性値を測定することを含む。
【０１２７】
肌理の弾性情報を取得すべき場合、肌理領域の弾性値は吸引と伸長との相互作用を用いて測定される。肌の弾性値テスタおよびテストプローブは、吸引と伸長とに基づく測定原理を有し、テストすべき皮膚の表面に負圧を加えて皮膚をテストプローブ内に吸引し、テストプローブ内に吸引される皮膚の深さを、非接触光テストシステムによって測定する。テストプローブは、発光部および受光部を含み、放射した光と受光した光との比は、テストプローブ内に吸引された皮膚の深さに直接的に比例し、このようにして、皮膚の伸長した長さと時間の関連曲線が得られ、皮膚の弾性能力をその曲線によって判断することができる。
【０１２８】
上述した肌理が気および血液と密接に関連していることを説明しなければならない。当業者に周知の技術的原理によれば、気および血液は、皮膚を潤し栄養分を与えるという機能を有し、気が皮膚に円滑に伝わる場合、その皮膚は、十分な栄養と、繊細な性状と、滑らかさと、を有し、このとき、皮膚の性状値は小さい。
【０１２９】
図３に示すように、上述した皮膚水分情報取得ステップ３０１ｄは、皮膚水分容量テストによって肌理領域の水分含有量を測定することと、油分検出装置によって検出された肌理領域の油分含有量を得ることと、を含む。
【０１３０】
皮膚水分情報を取得すべき場合、肌理領域の水分含有量は皮膚水分容量テストによって測定され、加えて、油分検出装置によって検出された肌理領域の油分含有量が取得される。皮膚水分含有量テスタおよびテストプローブ（Ｃｏｒｎｅｏｍｅｔｅｒ  ＣＭ８２５）により、世界的に有名なコルネオメーター容量法が用いられる。コルネオメーター容量法の原理は、水分および他の物質によって比誘電率が相当に変化し、正確な形状においてテストキャパシタによって検出された皮膚の静電容量は水分含有量に伴って変化し、皮膚の静電容量は測定範囲内に含まれ、このようにして、皮膚の水分含有量を測定することができるということである。皮膚の水分含有量の結果は、所定の水分測定値（Ｍｏｉｓｔｕｒｅ  Ｍｅａｓｕｒｅｍｅｎｔ  Ｖａｌｕｅ：ＭＭＶ）として表される。ＭＭＶの値は、０〜１５０の範囲である。ＭＭＶの値が大きければ大きいほど、皮膚の外皮の水分含有量は多くなる。皮膚の水分損失ＴＥＷＬは、皮膚水分保護層の機能を評価するための重要なパラメータであり、国際的に幅広く受け入れられている。皮膚水分保護層が完全であればあるほど水分含有量は多くなり、かつ、皮膚水分損失ＴＥＷＬの値は低くなる。換言すると、隣接する皮膚の表面に対する水分蒸気圧の変化は、拡散原理に従って、皮膚水分損失テスタおよびテストプローブ（Ｔｅｗａｍａｔｅｒ  ＴＭ３００）によって測定される。表皮を介して蒸発した水分の量を直接的に測定して、それによって、皮膚の表面における水分損失を評価するために、二つの開端部を有する円筒形キャビティからなる専用のテストプローブによって、皮膚の表面に比較的安定した測定微小環境が形成され、温度センサおよび水分センサからなる二つのセンサセットが、表皮内の水分損失によって生じた近接する（約１ｃｍ）外皮内の異なる二つの箇所の間の水蒸気圧勾配を測定する。ＴＥＷＬの値が低ければ低いほど、外皮を介した水分損失の量は小さくなり、水分損失の量の単位は、ｇ／ｈｍ２である。さらに、皮膚の油脂分泌の原理によれば、皮脂腺が油分を分泌したときに生じる脱落が毛穴を塞ぐことになり、そのため、ニキビが生じる。対照的に、皮脂分泌が減少し、生じたハイドロ脂質エマルジョンが減少すると、皮膚が乾燥し、粗くなり、くすみ、他の症状が生じる。上述した油分測定装置は、それに限定されるものではないが、皮膚油分テスタＳＭ８１５であってもよい。
【０１３１】
上述した皮膚水分情報が気および血液と密接に関連していることを説明しなければならない。当業者が周知の技術的原理によれば、気および血液は、皮膚を潤し栄養分を与えるという機能を有し、体液と血液とは同じ源を共有し、血液は体液を吸収して皮膚に栄養分を与え、このようにして、皮膚内の水分含有量が増加し、水分損失が低下し、油脂の分泌が抑えられる。
【０１３２】
図３に示すように、上述した肌の艶情報取得ステップ３０１ｅは、鏡面光沢テストによって肌理領域の光沢と艶とを判断することを含む。
【０１３３】
光沢と艶との情報を取得しなければならない場合、肌理領域の光沢と艶とは、鏡面光沢テストによって測定される。現在用いられている多機能皮膚テスタおよび皮膚彩度テストプローブ（ドイツ製のＭＰＡ９）によって肌の色を特定する測定方法は、国際照明委員会（Ｉｎｔｅｒｎａｔｉｏｎａｌ  Ｃｏｍｍｉｓｓｉｏｎ  ｏｎ  Ｉｌｌｕｍｉｎａｔｉｏｎ：ＣＩＥ）によって規定されている色空間（Ｌａｂ色空間）によって、皮膚の色の変化を測定することであり、Ｌ値（皮膚の輝度値）、ＧＬＯＯＳＹ値（艶）多機能皮膚テスタ、皮膚彩度テストプローブＭＰＡ９、および、ＧＬＯＯＳＹプローブは、皮膚の色を正確に特定することができ、皮膚の艶の変化を反映することができ、皮膚の艶をより高い信頼度で特定できるようにする。その艶が数字で示される対象物の表面は鏡に近い。艶は、多くの方法（または、計器）によって評価することができ、主に、光源の照明および見る角度に依存する。Ｉｎｇｅｒｓｏｌｌグロスメータでテストした対比光沢は、白紙または白紙系の艶をテストするのに用いられ、光沢と艶とは、鏡面光沢テスト法によって測定され、対象物の色は、光源のスペクトル成分、および、対象物の表面に反射されたさまざまな帯域における光による人間の眼への刺激、に依存し、その刺激は大脳皮質に伝達されて特定の感覚、すなわち色を形成する。光が皮膚に照射されると、皮膚中の異なる色素による異なる波長の光の吸収が異なり、その結果、反射光のスペクトル差が生じる。白色光が皮膚と相互に作用して、反射および吸収の両方によって着色光に変換されると、その皮膚は異なる色を呈する。皮膚の色に関する異なる光源の影響は、異なるスペクトルにより異なり、人の視覚は、同じ皮膚領域を照らす光によって影響を受け、そのため、観察者は、皮膚の色に対して異なる感覚を持つ可能性がある。光が皮膚の表面を照らした後、色素によって吸収された後、あるいは、表皮によって反射された後、光の約４〜８％は表皮によって反射される。テスト指標Ｌ、ａ、ｂ、は、三次元直交座標系の座標値であり、Ｌは輝度を表し、輝度が大きければ大きいほど、色の違いが大きくなる。さらに、皮膚の表面の光沢は、皮膚の表面を照らす光の直接反射および拡散反射によって反射される。皮膚は、構造および輝度だけが異なるのではなく、色も異なるため、別の装置ＧＬ２００を、皮膚の表面の艶を特別に測定するのに用いてもよく、その結果、異なる皮膚の艶を、皮膚の表面の反射光および散乱光を測定することによって、正確かつ都合良く測定することができる。プローブの先端においてＬＥＤから発せられた白色光の平行ビームは、平坦なミラーを通過して、皮膚の表面を６０°の角度で照らし、光の一部は同じ６０°の角度で直接反射されて、別の平坦なミラーを通過し、受光センサに入射する。別の部分の光は、皮膚の表面によって散乱された後、皮膚の垂直方向に配設されたセンサに入射する。このようにして、皮膚光沢テストプローブＧＬ２００は、艶に関して、皮膚による直接反射光を測定するだけではなく、皮膚による散乱光も測定することができ、その光は、艶が強い場合には白色になり、艶が弱い場合には黒色になる傾向がある。
【０１３４】
上述した肌の艶情報が気および血液と密接に関連していることを説明しなければならない。当業者に周知の技術的原理によれば、肌の艶は、気および血液と密接に関連している。気および血液がスムーズに流れてうまく循環している場合、肌は艶があって美しい。一方、気および血液が皮膚にスムーズに到達しない場合、肌はくすみ、艶がなく、美しくない。
【０１３５】
ステップ３０２において、
取得した肌の色合い状態情報が、あらかじめ設定された肌の色合い値と比較され、
取得した肌理の弾性情報が、あらかじめ設定された弾性値と比較され、
取得した皮膚水分情報が、あらかじめ設定された水分情報と比較され、そして、
取得した光沢と艶との情報が、あらかじめ設定された艶情報と比較される。
ヘム含有量が増加するとともにメラニン含有量が低下し、肌理値が低下し、皮膚の水分含有量が増加し、かつ、肌の輝度値が増加した場合、ステップ３０３が実行される。
【０１３６】
肌理領域において、
気と血液との情報取得ステップ３０１ａのステップＳ１〜Ｓ６を開始すると気と血液との状態の情報が取得され、
肌の色合い情報取得ステップ３０１ｂを開始すると肌の色合い状態情報が取得され、
肌理情報取得ステップ３０１ｃを開始すると肌理の弾性情報が取得され、
皮膚水分情報取得ステップ３０１ｄを開始すると皮膚水分情報が取得され、そして、
肌の艶情報取得ステップ３０１ｅを開始すると光沢と艶との情報が取得される。
その後、
取得した肌の色合い状態情報が、あらかじめ設定された肌の色合い値と比較され、
取得した肌理の弾性情報が、あらかじめ設定された弾性値と比較され、
取得した皮膚水分情報が、あらかじめ設定された水分情報と比較され、そして、
取得した光沢と艶との情報が、あらかじめ設定された艶情報と比較される。
ヘム含有量が増加するとともにメラニン含有量が低下し、肌理値が低下し、皮膚の水分含有量が増加し、かつ、肌の輝度値が増加した場合、ステップ３０３が実行される。さらに、ヘム含有量が減少するとともにメラニン含有量が増加し、肌理値が増加し、皮膚の水分含有量が減少し、かつ、肌の輝度値が低下した場合、肌理の状態が良好ではないか、あるいは、気と血液との状態が良好ではない。
【０１３７】
表３を参照して、
取得した肌の色合い状態情報が、あらかじめ設定された肌の色合い値と比較され、
取得した肌理の弾性情報が、あらかじめ設定された弾性値と比較され、
取得した皮膚水分情報が、あらかじめ設定された水分情報と比較され、そして、
取得した光沢と艶との情報が、あらかじめ設定された艶情報と比較される、ことを説明しなければならない。
【表３】
0006431211.tif 000004
【０１３８】
実施形態で説明した肌理領域は、顔面領域であってもよく、また、上述した血流分布情報は、顔の局所毛細血管血流量および局部組織代謝機能を含んでもよい。
【０１３９】
ステップ３０３では、肌理領域の全体の肌理の気と血液との状態が良好であると診断される。
【０１４０】
取得した肌の色合い状態情報が、あらかじめ設定された肌の色合い値と比較され、
取得した肌理の弾性情報が、あらかじめ設定された弾性値と比較され、
取得した皮膚水分情報が、あらかじめ設定された水分情報と比較され、そして、
取得した光沢と艶との情報が、あらかじめ設定された艶情報と比較された後、
ヘム含有量が増加するとともにメラニン含有量が減少し、肌理値が低下し、皮膚の水分含有量が増加し、かつ、肌の輝度値が増加した場合に、肌理領域の全体の肌理の気と血液との状態が良好であると診断される。
【０１４１】
実施形態において、気と血液との情報取得ステップの場合に、肌理の血流状態が検出装置によって取得されるとともに血流状態が分析され、その血流状態に対応する血流分布情報が得られ、血流状態を判断するために、血流分布情報があらかじめ設定された血流情報範囲内に含まれるか否かが判断される。それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。
また、気および血液と、肌の色合いと、肌理と、皮膚水分と、肌の光沢および艶と、を含む全体的な肌理データ情報が、肌の色合い情報取得ステップ、肌理の情報取得ステップ、皮膚水分情報取得ステップ、および、肌の艶情報取得ステップ、を開始することによって取得されるため、取得した肌理を処理する判断プロセスが、より客観的かつ包括的になる。熱赤外線撮像装置によって肌理領域の血流状態を取得する技術を用いて人の肌理領域の血流量情報を迅速に取得することができるとともに、肌理領域の血流量情報を直接測定することができる。
【０１４２】
図４を参照すると、本発明の実施形態による、取得した肌理データを処理する装置は、
肌理領域において気と血液との情報取得ステップを実行して気と血液との状態の情報を取得するように構成された気と血液との情報取得モジュール４０１と、
肌理領域において肌の色合い情報取得ステップを開始して肌の色合い情報を取得するように構成された肌の色合い取得モジュール４０２と、
肌理領域において肌理情報取得ステップを開始して肌理の弾性情報を取得するように構成された肌理取得モジュール４０３と、
肌理領域において皮膚水分情報取得ステップを開始して皮膚水分情報を取得するように構成された水分取得モジュール４０４と、
肌理領域において肌の艶情報取得ステップを開始して光沢と艶との情報を取得するように構成された艶取得モジュール４０５と、
取得した、肌の色合い状態情報、肌理の弾性情報、皮膚水分情報、および、光沢と艶との情報、を、あらかじめ設定された指標範囲、と、比較するとともに、気と血液との状態の情報と組み合わせることで、肌理領域に関する全体的な肌理の状態を判断するように構成された分析モジュール４０６と、
を含む。
【０１４３】
この場合、気と血液との情報取得モジュール４０１は、
検出装置によって肌理領域の血液状態を取得するように構成された取得サブモジュール４０１１と、
血液状態に基づいて肌理領域に対応する画像を生成するように構成された生成サブモジュール４０１２と、
その画像を分析してその画像に対応する血流分布情報を得るように構成された分析サブモジュール４０１３と、
血流分布情報があらかじめ設定された血流情報範囲内に含まれるか否かを判断し、その血流分布情報があらかじめ設定された血流情報範囲内に含まれている場合に、肌理領域の気と血液との状態の情報が正常であると判断するように構成された判断サブモジュール４０１４と、
を含む。
【０１４４】
実施形態において、
気と血液との情報取得モジュール４０１は、気と血液との情報取得ステップの場合に、検出装置によって肌理の血流状態を取得し、
判断サブモジュール４０１４は、血流状態を分析することによってその血流状態に対応する血流分布情報を取得し、血流分布情報があらかじめ設定された血流情報範囲内に含まれるか否かを判断して血流状態を診断する。
それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。
【０１４５】
取得した肌理のデータを処理する装置の各モジュールは詳細に上述されており、以下、各モジュールの機能を、図４とともに詳細に説明する。
本発明の別の実施形態による、取得した肌理のデータを処理する装置は、
肌理領域において気と血液との情報取得ステップを実行して気と血液との状態の情報を取得するように構成された気と血液との情報取得モジュール４０１と、
肌理領域で、肌の色合い情報取得ステップを開始して肌の色合い状態情報を取得するように構成された肌の色合い取得モジュール４０２であって、特に、狭帯域スペクトルを用いて肌理領域のヘムとメラニンとの含有量を測定するように構成された肌の色合い取得モジュール４０２と、
肌理領域において肌理情報取得ステップを開始して肌理の弾性情報を取得するように構成された肌理取得モジュール４０３であって、特に、吸引と伸長との相互作用を用いて肌理領域の弾性値を測定するように構成された肌理取得モジュール４０３と、
肌理領域において、皮膚水分情報取得ステップを開始して皮膚水分情報を取得するように構成された水分取得モジュール４０４であって、特に、皮膚水分容量テストによって肌理領域の水分含有量を測定するとともに、油分検出装置によって検出された油分含有量を得るように構成された水分取得モジュール４０４と、
肌理領域において肌の艶情報取得ステップを開始して光沢と艶との情報を取得するように構成された艶取得モジュール４０５であって、特に、鏡面光沢テストによって肌理領域の光沢と艶とを測定するように構成された艶取得モジュール４０５と、
取得した、肌の色合い状態情報、肌理の弾性情報、皮膚水分情報、および、光沢と艶との情報、を、あらかじめ設定された指標範囲、と、比較するとともに、気と血液との情報と組み合わせることで、肌理領域に関する全体的な肌理の状態を判断するように構成された分析モジュール４０６であって、特に、取得した肌の色合い状態情報を、あらかじめ設定された肌の色合い値と比較し、取得した肌理の弾性情報を、あらかじめ設定された弾性値と比較し、取得した皮膚水分情報を、あらかじめ設定された水分情報と比較し、取得した光沢と艶との情報を、あらかじめ設定された艶情報と比較し、そして、ヘム含有量が増加するとともにメラニン含有量が減少し、肌理の値が低下し、水分含有量が増加し、ならびに、肌の輝度値が増加した場合に、肌理領域の全体の肌理の気と血液との状態が良好であると診断するように構成された分析モジュール４０６と、
を含む。
【０１４６】
この場合、気と血液との情報取得モジュール４０１は、
検出装置によって肌理領域の血液状態を取得するように構成された取得サブモジュール４０１１と、
血液状態に基づいて肌理領域に対応する画像を生成するように構成された生成サブモジュール４０１２と、
その画像を分析してその画像に対応する血流分布情報を得るように構成された分析サブモジュール４０１３と、
血流分布情報があらかじめ設定された血流情報範囲内に含まれるか否かを判断し、その血流分布情報があらかじめ設定された血流情報範囲内に含まれている場合に、肌理領域の気と血液との状態の情報が正常であると判断するように構成された判断サブモジュール４０１４と、
を含む。
【０１４７】
実施形態において、
気と血液との情報取得モジュール４０１は、気と血液との情報取得ステップの場合に検出装置によって肌理の血流状態を取得し、
判断サブモジュール４０１４は、血流状態を分析することによってその血流状態に対応する血流分布情報を取得し、血流分布情報があらかじめ設定された血流情報範囲内に含まれるか否かを判断して血流状態を診断する。
それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。
また、肌の色合い情報取得ステップ、肌理の情報取得ステップ、皮膚水分情報取得ステップ、および、肌の艶情報取得ステップ、が、気と血液との情報取得モジュール４０１、肌の色合い取得モジュール４０２、肌理取得モジュール４０３、水分取得モジュール４０４、および、艶取得モジュール４０５、によって開始される場合に、気および血液と、肌の色合いと、肌理と、皮膚水分と、肌の光沢および艶と、を含む全体的な肌理のデータ情報が取得されるため、取得した肌理を処理する判断プロセスが、より客観的かつ包括的になる。
【０１４８】
図５を参照すると、本発明の実施形態による取得した肌理データを処理するシステムは、図４に示す実施形態に従って取得した肌理データを処理する装置５１と、熱赤外線撮像装置５２と、皮膚の血液色素およびメラニンの測定装置５３と、肌の弾性測定装置５４と、皮膚水分測定装置５５と、油分測定装置５６と、多機能皮膚測定装置５７と、を含む。
【０１４９】
この場合、熱赤外線撮像装置５２と、皮膚の血液色素およびメラニンの測定装置５３と、肌の弾性測定装置５４と、皮膚水分測定装置５５と、油分測定装置５６と、多機能皮膚測定装置５７と、は、それぞれ、取得した肌理データを処理する装置に電気的に接続されている。
【０１５０】
熱赤外線撮像装置５２は、測定した気と血液との状態の情報を、テストプローブを介して、取得した肌理データを処理する装置に供給するように構成されていることを説明しなければならない。
【０１５１】
皮膚の血液色素およびメラニンの測定装置５３は、測定した肌の色合い状態情報を、テストプローブを介して、取得した肌理データを処理する装置５１に供給するように構成されている。
【０１５２】
肌の弾性測定装置５４は、測定した肌理の弾性情報を、テストプローブを介して、取得した肌理データを処理する装置５１に供給するように構成されている。
【０１５３】
皮膚水分測定装置５５は、測定した皮膚水分情報を、テストプローブを介して、取得した肌理データを処理する装置５１に供給するように構成されている。
【０１５４】
油分測定装置５６は、測定した皮膚の油分含有量情報を、テストプローブを介して、取得した肌理データを処理する装置に供給するように構成されている。
【０１５５】
多機能皮膚測定装置５７は、測定した光沢と艶との情報を、テストプローブを介して、取得した肌理データを処理する装置５１に供給するように構成されている。
【０１５６】
実施形態において、取得した肌理データを処理する装置５１が熱赤外線撮像装置５２に接続されている場合、肌理領域の血流状態は、気と血液との情報取得ステップの場合に検出装置によって取得されるとともに、その血流状態に対応する血流分布情報が血流状態を分析することによって取得され、血流分布情報があらかじめ設定された血流情報範囲内に含まれるか否かが判断されて血流状態が診断される。それにより、皮膚の温度を取得することによってしか肌理の状態を診断できず、皮膚の「気と血液」に関する最も重要な情報データを直接的に取得することができない、ということによる、肌理の状態に関する誤診という従来技術における技術的問題が解決される。また、皮膚の血液色素およびメラニンの測定装置５３と、肌の弾性測定装置５４と、皮膚水分測定装置５５と、油分測定装置５６と、多機能皮膚測定装置５７と、が、それぞれ、取得した肌理データを処理する装置５１に電気的に接続されているため、肌の色合い情報取得ステップ、肌理の情報取得ステップ、皮膚水分情報取得ステップ、および、肌の艶情報取得ステップ、を開始して、気および血液と、肌の色合いと、肌理と、皮膚水分と、肌の光沢および艶と、を含む全体的な肌理データ情報が取得され、その結果、取得した肌理を処理する判断プロセスが、より客観的かつ包括的になる。
【０１５７】
当業者は、便宜上および説明を簡単にするために、上述したシステム、装置、および、ユニット、の具体的な動作プロセスが、これ以上繰り返して記載されていない上述した方法の実施形態における対応するプロセスを指す可能性があることを明確に理解することができる。
【０１５８】
本出願によって提供される実施形態においては、開示したシステム、装置、および、方法、は、他の方法で実施してもよいことを理解すべきである。例えば、上述した装置の実施形態は、概要にすぎない。例えば、ユニットおよびモジュールは、それらの論理機能に基づいて分けられており、また、それらは、実際には別の方法で分けてもよい。例えば、複数のユニットまたはモジュールは、別のシステムに結合または統合してもよく、または、いくつかの機能を省いてもよく、または、実行しなくてもよい。さらに、提示したまたは議論した構成要素間の接続、直接接続または通信接続は、いくつかのインタフェース、装置またはユニットを介した間接カップリングまたは通信接続であってもよく、あるいは、電気的構成、機械的構成または別の構成にしてもよい。
【０１５９】
別々の構成要素として説明したユニットは、物理的に分離されていてもよく、または、分離されていなくてもよい。ユニットとして示した構成要素は、物理的ユニットであってもよく、または、物理的ユニットではなくてもよい。すなわち、同じ位置に設置されていてもよく、または、複数のネットワークユニットに分散させてもよい。モジュールの一部またはすべては、必要に応じて、実施形態の目的を実現するように選択してもよい。
【０１６０】
また、本発明の実施形態によるすべての機能ユニットは、一つの処理ユニットに統合してもよく、または、物理的に独立したユニットであってもよく、または、二つ以上のユニットを一つのユニットに統合してもよい。上述した統合されたユニットは、ハードウェアで実現してもよく、または、ソフトウェア機能ユニットによって実現してもよい。
【０１６１】
統合したユニットは、その統合したユニットがソフトウェア機能ユニットで実施され、および、独立したプロダクトとして販売または使用される場合、コンピュータ可読記憶媒体に格納してもよい。このような理解に基づいて、本発明の技術的解決策の本質的部分または従来技術にもたらされる本発明の技術的解決策の一部または技術的解決策のすべてまたは一部は、ソフトウェアプロダクトによって具体化してもよい。コンピュータソフトウェアプロダクトは、記憶媒体に格納され、そのプロダクトは、本発明の実施形態による方法のステップのすべてまたは一部をコンピュータ装置（パーソナルコンピュータ、サーバー、ネットワーク装置などであってもよい）に実行させるためのいくつかの命令を含んでいる。上述した記憶媒体は、ＵＳＢディスク、モバイルハードディスク、読み出し専用メモリ（ＲＯＭ）、ランダムアクセスメモリ（ＲＡＭ）、ディスク、および、光ディスク、などの、プログラムコードを格納することができるさまざまな媒体を含む。
【０１６２】
上述したように、上記の実施形態は、単に本発明の技術的解決策を説明するために記載されているにすぎないが、本発明を限定することは意図されていない。本発明は上記の実施形態に関連して詳細に記載されているが、当業者は、上記の実施形態に記載された技術的解決策をさらに変更できることを、または、技術的特徴の一部またはすべてに対する等価な置換えを実行できることを理解すべきであり、また、そのような変更または置換は、対応する技術的解決策の本質を、本発明の実施形態による技術的解決策の趣旨および範囲から逸脱することを可能にしない。
【図１】
0006431211.tif 000005
【図２】
0006431211.tif 000006
【図３】
0006431211.tif 000007
【図４】
0006431211.tif 000008
【図５】
0006431211.tif 000009